(57)【要約】【課題】ＨＤＭＩにより接続された複数の外部機器に対して、入力切換時に、ＣＥＣコマンドを送信することにより、複数の外部機器の中から操作対象機器を選択できるようにした表示装置を提供する。【解決手段】表示装置であるテレビＡを１階層目に配置し、テレビＡに直接接続されている外部機器を２階層目に配置し、３階層目以降についても同様に当該階層の外部機器に直接接続されている外部機器を次階層に配置してなるネットワークを構成する。当該階層の外部機器は、テレビＡからＣＥＣコマンドを受信すると、選択状態にある次階層の外部機器をテレビＡに通知し、テレビＡは、前記通知された選択状態にある次階層の外部機器のアドレスを指定してＣＥＣコマンドを送信する。テレビＡは、当該階層の外部機器から、前記通知があったかどうかを判定し、該通知がない場合、当該階層の外部機器を操作対象機器として選択する。【選択図】図３
2008104175.tif 000002
【特許請求の範囲】
【請求項１】
外部機器と接続するＨＤＭＩ端子を備え、複数の外部機器が階層的にツリー状に接続される表示装置であって、
入力切換に応じてＣＥＣコマンドを送信することにより、
前記複数の外部機器の中から操作対象機器を選択することを特徴とする表示装置。
【請求項２】
請求項１に記載の表示装置において、前記ＣＥＣコマンドを受信した前記外部機器から、該外部機器が次階層の外部機器を選択している旨の通知があると、
前記通知の受信により前記次階層の外部機器へ前記ＣＥＣコマンドを送信することを特徴とする表示装置。
【請求項３】
請求項２に記載の表示装置において、前記ＣＥＣコマンドを受信した前記外部機器から前記通知がない場合、前記ＣＥＣコマンドを受信した前記外部機器を操作対象機器として選択することを特徴とする表示装置。
【請求項４】
請求項１乃至３のいずれか１項に記載の表示装置において、操作対象機器に選択された外部機器のアドレス情報を記憶する記憶手段を備え、
次回入力切換時に、前記外部機器のアドレスを指定して前記ＣＥＣコマンドを送信することを特徴とする表示装置。
【請求項５】
請求項１乃至４のいずれか１項に記載の表示装置において、前記ＣＥＣコマンドは、ＨＤＭＩ規格で定義された<Set Stream Path>であることを特徴とする表示装置。
【請求項６】
請求項１乃至５のいずれか１項に記載の表示装置と、該表示装置のＨＤＭＩ端子に直接にまたは他の外部機器のＨＤＭＩ端子を介して間接に接続される複数の外部機器とを備えた表示システム。
【発明の詳細な説明】
【技術分野】
【０００１】
本発明は、表示装置及び表示システム、より詳細には、ＨＤＭＩ（High Definition Multimedia Interface）等によるデジタルインタフェースによりＤＶＤ録画装置などの出力装置と接続可能な表示装置、及び該装置を備えた表示システムに関する。
【背景技術】
【０００２】
映像伝送用のデジタルインタフェースとしてＨＤＭＩが普及している。ＨＤＭＩは、ＰＣとディスプレイの接続標準規格であるＤＶＩに音声伝送機能や著作権保護機能を加えて、ＡＶ機器向けにアレンジしたものとなっている。
従来は機器間の接続にビデオ、オーディオ、コントロールの各信号用の複数のケーブルを用いていたが、ＨＤＭＩではケーブル１本で済み、コントロール信号は双方向の伝送に対応しているため、例えばモニタからＨＤＭＩで接続されたＳＴＢ(Set Top Box)やＤＶＤプレーヤ等の出力装置にコントロール信号を中継することによって、一つのリモコンでホームシアタなどのＡＶシステム全体を操作することも可能となった。
【０００３】
上記ＨＤＭＩのようなデジタルインタフェースにより複数のＡＶ機器を接続し、各ＡＶ機器の音声信号、映像信号を入力、出力と切り換えて映像の再生、録画等を行う場合には、各ＡＶ機器間の接続を直接つなぎかえるなどで対応していた。しかし、接続するＡＶ機器の数が多くなってくると、この接続の切り換えが煩雑となり、接続ミスも多発するようになる。
【０００４】
このような問題に対して、特許文献１には、ＩＥＥＥ１３９４のＡＶＣコマンドを用いて接続状況をツリー表示する技術が開示されている。これは、ＩＥＥＥ１３９４シリアルバスにより各種の機器（テレビを含む）が接続されたホームバスシステムにおいて、ユーザが現在視聴しているテレビから見た１３９４シリアルバス上の全機器の接続状況を示す画像（接続ツリー）をテレビに表示させる。これにより、現在見ている表示装置と他の機器との接続関係を容易に理解できるような形式で接続関係を表示できるようにしている。
【０００５】
また、特許文献２には、１３９４シリアルバス上に接続された全機器をツリー表示し、アクティブな機器とそうでない機器をグラフィカルに表示する技術が開示されている。
また、特許文献３には、１３９４シリアルバス上の経路を表示し、コンテンツ情報表に基づいた最適経路の選択を可能とする技術が開示されている。
【特許文献１】特開２０００−２４４８３６号公報
【特許文献２】特表２００１−５０３９３０号公報
【特許文献３】特開２００１−８６１４３号公報
【発明の開示】
【発明が解決しようとする課題】
【０００６】
前述したＨＤＭＩ接続によりテレビやレコーダなどのＡＶ機器を複数接続した場合、テレビから操作対象とする機器をユーザに選択させる必要がある。例えば、上記特許文献に記載されているような接続機器一覧を表示させて、その一覧から選択させることも考えられるが、ユーザからすると、操作対象機器を一覧から選択する手間がかかり、効率的とはいえなかった。
【０００７】
また、アクティブな機器を操作対象とする方法もあるが、例えば、ＨＤＭＩ機器の電源が入っていない状態では、どの機器が操作対象になっているのかが分からない。すなわち、ユーザがＨＤＭＩ入力に切り換えたとしても、ツリー状に接続されている機器の中でどの機器が操作できるのかが分からないという問題があった
【０００８】
本発明は、上述のごとき実情に鑑みてなされたものであり、ＨＤＭＩにより接続された複数の外部機器に対して、入力切換時に、ＨＤＭＩ規格に基づくＣＥＣ(Consumer Electronics Control)コマンドを送信することにより、複数の外部機器の中から操作対象機器を選択できるようにした表示装置及び該表示装置を備えた表示システムを提供すること、を目的とする。
【課題を解決するための手段】
【０００９】
上記課題を解決するために、本発明の第１の技術手段は、外部機器と接続するＨＤＭＩ端子を備え、複数の外部機器が階層的にツリー状に接続される表示装置であって、入力切換に応じてＣＥＣコマンドを送信することにより、前記複数の外部機器の中から操作対象機器を選択することを特徴としたものである。
【００１０】
第２の技術手段は、第１の技術手段において、前記ＣＥＣコマンドを受信した前記外部機器から、該外部機器が次階層の外部機器を選択している旨の通知があると、前記通知の受信により前記次階層の外部機器へ前記ＣＥＣコマンドを送信することを特徴としたものである。
【００１１】
第３の技術手段は、第２の技術手段において、前記ＣＥＣコマンドを受信した前記外部機器から前記通知がない場合、前記ＣＥＣコマンドを受信した前記外部機器を操作対象機器として選択することを特徴としたものである。
【００１２】
第４の技術手段は、第１乃至第３のいずれか１の技術手段において、操作対象機器に選択された外部機器のアドレス情報を記憶する記憶手段を備え、次回入力切換時に、前記外部機器のアドレスを指定して前記ＣＥＣコマンドを送信することを特徴としたものである。
【００１３】
第５の技術手段は、第１乃至第４のいずれか１の技術手段において、前記ＣＥＣコマンドは、ＨＤＭＩ規格で定義された<Set Stream Path>であることを特徴としたものである。
【００１４】
第６の技術手段は、第１乃至第５のいずれか１の技術手段における表示装置と、該表示装置のＨＤＭＩ端子に直接にまたは他の外部機器のＨＤＭＩ端子を介して間接に接続される複数の外部機器とを備えた表示システムである。
【発明の効果】
【００１５】
本発明によれば、ＨＤＭＩにより接続された複数の外部機器に対して、入力切換時に、ＨＤＭＩ規格に基づくＣＥＣコマンドを送信することにより、複数の外部機器の中から操作対象機器を選択できるため、ユーザは単に入力を切り換えるだけで、操作対象機器を容易に選択することができる。また、ユーザは機器の切り換えを特に意識する必要がないため、接続された機器の操作をスムーズに行うことができる。
【発明を実施するための最良の形態】
【００１６】
以下、添付図面を参照しながら、本発明の表示装置及び該装置を備えた表示システムに係る好適な実施の形態について説明する。
【００１７】
本発明の実施形態においては、ＨＤＭＩ規格に含まれるＣＥＣ(Consumer Electronics Control)を使用する。ここでは、ＨＤＭＩにより接続された複数の外部機器に対して、入力切換時に、ＨＤＭＩ規格に基づくＣＥＣコマンドを送信することにより、複数の外部機器の中から操作対象機器を選択することができるようになる。このＣＥＣは、ＨＤＭＩで規格化されている制御プロトコルであり、そのプロトコルに基づく制御信号であるＣＥＣコマンドが機器間でやりとりされる。
【００１８】
図１は、本発明の表示装置の一実施形態例を説明するためのブロック図で、本発明の表示装置をテレビ装置に適用した例を示すものである。
テレビ装置１００は、デジタル放送信号を選局して復調するＴＶチューナ１０１と、復調した放送信号からＥＰＧ（登録商標）データの抽出や復調されたデータの分離を行うデマルチプレクサ１０２と、分離されたデジタル放送のビデオデータをデコードするビデオデコーダ１０３とを備えている。
【００１９】
またテレビ装置１００は、システム全体の制御を行うシステム制御部１０４と、システム制御部１０４からのバスの使用要求を受けてバスの使用許可を与えるバス調停部１０５とを有している。バス調停部１０５は、一時に一つのバスの使用要求があったときはただちに使用許可を与え、一時に複数の使用要求があったときは、すなわちバスの使用要求が競合したときは、予めシステム制御部１０４等に定められている優先度に従ってバスの使用許可を与える。
【００２０】
テレビ装置１００には、複数の外部入力Ｉ／Ｆ（外部入力１，外部入力２）１０６，１０７と、ＨＤＭＩ機器からの入力Ｉ／Ｆ（ＨＤＭＩ入力１，ＨＤＭＩ入力２）１０８，１０９とが設けられる。ＨＤＭＩ用のＩ／Ｆとしては、後述するＨＤＭＩレシーバやＣＥＣ Ｉ／Ｆなどが備えられる。これら複数の外部入力とＨＤＭＩ入力とを切り換えるために入力切換メニューが用意され、システム制御部１０４の記憶手段に保持される。
【００２１】
画像処理部１１０では、ノイズリダクション、スケーリングやＩＰ変換等の映像信号変換処理を適宜必要に応じて実施する。また画質強調補正処理やγ補正処理等の画質調整を適宜実施する。また画像信号変換処理において、各種の３次元画像処理を行うためにフレームメモリ１１２が使用される。デバイス駆動部１１１は、液晶パネル等の表示デバイス１１３を駆動制御して、画像処理部から出力された映像信号を表示デバイス１１３に表示させる。またテレビ装置１００には、ユーザが操作するリモートコントローラからの赤外線信号を受信する赤外線受光部１１４が設けられる。
【００２２】
図２は、本発明が適用可能なＡＶシステムの構成例を説明するためのブロック図で、出力装置１０と、リピータ機器２０と、表示装置３０とが接続されている構成を示すものである。リピータ機器２０及び出力装置１０は、本発明に関わる外部機器に該当する。そして出力装置１０とリピータ機器２０とはＨＤＭＩケーブルによって接続され、さらにリピータ機器２０と表示装置３０とがＨＤＭＩケーブルによって接続される。
【００２３】
出力装置１０は、ＨＤＭＩにおけるソース機器に相当し、例えばＨＤＭＩ出力端子を持つＤＶＤレコーダやＨＤＤレコーダ、Ｄ−ＶＨＳ(登録商標)レコーダ、デジタルビデオカメラなどであり、リピータ機器は、ＨＤＭＩ入力端子と出力端子とをもつＡＶアンプなどであり、表示装置は、ＨＤＭＩにおけるシンク機器に相当し、ＨＤＭＩ入力端子をもつ液晶テレビやモニタなどである。ＡＶアンプなどのリピータ機器が複数のＨＤＭＩ入力端子を持っていれば、複数の出力装置１０を接続することができ、ＡＶアンプのセレクタ機能によって入力ラインを切り換えることができる。
【００２４】
ＨＤＭＩケーブルは、デジタル信号である映像・音声信号を差動方式で伝送するためのＴＭＤＳ（Transition Minimized Differential Signaling）ライン（デジタル信号転送ライン）４１と、機器間で共通の制御信号（ＣＥＣコマンド）を伝送する双方向バスであるＣＥＣ（Consumer Electronics Control）ライン４２とを含んでいる。またこの他、ＨＤＭＩケーブルには、ＥＤＩＤ（Extended Display Identification Data）の送信やＨＤＣＰ(High-bandwidth Digital Content Protection system)認証等に利用される図示しないＤＤＣ(Display Data Channel)ラインが含まれる。
【００２５】
ビデオ／音声を含むストリームは、ＴＭＤＳライン４１を用いて伝送される。ＴＭＤＳライン４１はシリアル伝送路であり、例えば、赤（Ｒ），緑（Ｇ），青（Ｂ）のチャンネル毎の３つのデータ伝送路と、１つのクロック伝送路とが設けられている。Ｒ，Ｇ，Ｂに分解された映像信号は伝送路内をベースバンド信号で伝送され、音声信号は映像信号のブランキング期間に挿入されて映像信号と同時に伝送される。ＨＤＭＩは、５．１ｃｈや６．１ｃｈなどマルチサラウンドの音声信号の伝送にも対応しており、マルチサラウンド音声信号を映像信号に挿入して同時に伝送することができる。
【００２６】
また本発明に関わる表示装置３０により操作対象機器を選択するために、ＣＥＣライン４２を介して転送されるＣＥＣコマンドが用いられる。上述のように、ＣＥＣはＨＤＭＩで規格化されている制御プロトコルであり、ＣＥＣコマンドはＣＥＣプロトコルに基づく制御信号である。そしてＣＥＣコマンドを用いて機器間で情報をやりとりすることにより、表示装置３０と接続機器との間で各種の動作制御を実現する。
【００２７】
出力装置１０は、ＨＤＭＩトランスミッタ１１、ＨＯＳＴ ＣＰＵ１２、フロントマイコン１３、ＣＥＣ Ｉ／Ｆ１４を備えている。ＨＤＭＩトランスミッタ１１は、例えばＤＶＤなどのメディアに記録されている映像データと音声データとを読み出し、音声信号が映像信号のブランキング期間に挿入されたＨＤＭＩ形式のストリームに変換する。そして、変換したストリームをＴＭＤＳライン４１によってリピータ機器２０へ転送する。ＨＯＳＴ ＣＰＵ１２は、ＨＤＭＩコントローラを含み、ＨＤＭＩトランスミッタ１１の動作を制御する。
【００２８】
ＣＥＣ Ｉ／Ｆ１４は、ＨＤＭＩケーブル内のＣＥＣライン４２を接続し、リピータ機器２０との間でＣＥＣコマンドの双方向通信を可能とする。ＣＥＣ Ｉ／Ｆ１４の動作は、ＣＥＣコントローラを含むフロントマイコン１３により制御され、ＣＥＣコマンドによってＨＤＭＩ接続された機器を制御することができる。ＣＥＣの場合、ＨＤＭＩ接続された各機器の論理アドレス（機器の種別）と物理アドレス（機器の位置）が取得されるため、この論理アドレスと物理アドレスを指定することで所望の機器にＣＥＣコマンドを送信することができる。
【００２９】
ＨＯＳＴ ＣＰＵ１２は装置全体を制御する。またフロントマイコン１３は低電力で動作し、常にＣＥＣライン４２から転送されてくるＣＥＣコマンドを監視する。またリモコン装置があれば、そのリモコン信号の送信の有無を監視する。また装置のスタンバイモードなどによってＨＯＳＴ ＣＰＵ１２がダウンしているときも、フロントマイコン１３は動作している（少なくともＣＥＣコマンドの転送が可能な状態で動作する）。
【００３０】
リピータ機器２０は、ＨＤＭＩレシーバ２１、ＨＤＭＩトランスミッタ２２、ＨＯＳＴ ＣＰＵ２３、フロントマイコン２４、及びＣＥＣ Ｉ／Ｆ２５を備えている。リピータ機器２０は、出力装置１０から転送されたストリームをＨＤＭＩレシーバ２１で受信し、さらにＨＤＭＩトランスミッタ２２から送出して、表示装置３０に転送する。またＣＥＣ Ｉ／Ｆ２５によって、出力装置１０との間のＣＥＣライン４２と、表示装置３０との間のＣＥＣライン４２とを接続する。
【００３１】
ＨＯＳＴ ＣＰＵ２３とフロントマイコン２４は、上述の出力装置１０と同様の機能を備え、ＨＯＳＴ ＣＰＵ２３は、ＨＤＭＩレシーバ２１とＨＤＭＩトランスミッタ２２とを制御するともに装置全体を制御する。またフロントマイコン２４はＣＥＣコントローラを含み、ＣＥＣライン４２から転送されてくるＣＥＣコマンドを監視する。
【００３２】
またＡＶアンプなどのように、リピータ機器２０に複数のＨＤＭＩ入力端子がある場合、複数のＨＤＭＩ機器を出力装置１０として接続することができる。この場合、リピータ機器２０のセレクト機能より、表示装置３０に転送するストリームの入力ポートを適宜切り換えることができる。そしてストリームの入力ポートの切換は、表示装置３０に対する操作に応じたＣＥＣコマンドによって実現することができる。
【００３３】
表示装置３０は、ＨＤＭＩレシーバを内蔵したＨＯＳＴ ＣＰＵ３１、モニターマイコン３２、ＣＥＣ Ｉ／Ｆ３３、及びメモリ３４を備えている。表示装置３０は、リピータ機器２０から送出されたストリームをＨＤＭＩレシーバ内蔵のＨＯＳＴ ＣＰＵ３１で受信する。ＨＤＭＩレシーバはＨＯＳＴ ＣＰＵ３１と分離された構成であってもよい。またＣＥＣ Ｉ／Ｆ３３によって、リピータ機器２０との間のＣＥＣライン４２が接続される。
【００３４】
ＨＯＳＴ ＣＰＵ３１は、ＨＤＭＩレシーバを内蔵し、また装置全体を制御している。またモニターマイコン３２は、ＣＥＣライン４２のコントローラを含み、ＣＥＣライン４２から転送されてくるＣＥＣコマンドを監視する。またモニターマイコン３２は、リモコン装置３６からのリモコン信号を受信する受光部３５を制御している。そして装置のスタンバイモードなどにおいてＨＯＳＴ ＣＰＵ３１がダウンしているときでも、モニターマイコン３２が動作し、ＣＥＣコマンドの送受信とリモコン信号の受信とが可能な状態に維持される。
【００３５】
表示装置３０では、ＨＯＳＴ ＣＰＵ３１に内蔵されたＨＤＭＩレシーバによりストリームの映像／音声が分離され、必要に応じて所定の映像信号処理及び音声信号処理を行って、ディスプレイ等の表示画面に映像表示を行うとともに、スピーカから音声出力させる。またＨＤＭＩではない経路から映像／音声信号が入力する場合には、ビデオ／オーディオスイッチにより出力信号が切り替えられる。
【００３６】
図３は、本発明の表示システムによる操作対象機器の選択方法の一例を説明するための図である。本例において、シンク機器であるテレビＡは２つのＨＤＭＩ入力（入力１，入力２）を備え、一方の入力１にはリピータ機器であるＡＶアンプ１を接続し、他方の入力２にはソース機器であるレコーダを接続する。なお、テレビＡは図２に示した表示装置３０と同様の構成とする。
【００３７】
テレビＡの入力１に接続されたＡＶアンプ１は、３つのＨＤＭＩ入力（入力３，入力４，入力５）を備え、入力３にはリピータ機器であるＡＶアンプ２を接続し、入力４にはソース機器であるＤＶＤプレーヤを接続し、入力５にはリピータ機器であるＤ−ＶＨＳ（登録商標）を接続する。
【００３８】
ＡＶアンプ１の入力５に接続されたＤ−ＶＨＳ（登録商標）は、２つのＨＤＭＩ入力（入力６，入力７）を備え、入力６にはソース機器であるＳＴＢ（Set Top Box）１を接続し、入力７にはリピータ機器であるＡＶアンプ３を接続する。最後に、入力７に接続されたＡＶアンプ３は入力８を備え、この入力８にはソース機器であるＳＴＢ２を接続する。
【００３９】
ここで、ＨＤＭＩ接続された機器は、入力を切り換えたときに、＜Ｓｅｔ Ｓｔｒｅａｍ Ｐａｔｈ＞というＣＥＣコマンドを接続先機器へ送信し、このＣＥＣコマンドに対して、接続先機器から“Ａｃｋ”が返ってくると、当該接続先機器との入力経路が確立される。本例ではこの＜Ｓｅｔ Ｓｔｒｅａｍ Ｐａｔｈ＞コマンドを使用して、これら複数の機器の中から操作対象機器を選択できるようにする。
【００４０】
上記のような接続構成において、入力切換によりテレビＡの入力２が選択されている場合、この入力２には１台のレコーダが接続されているだけなので、その機器が操作対象であることは容易に判断することができる。
【００４１】
一方、テレビＡの入力１に切り換えたとき、どの機器が操作対象であるかは入力１に接続されるＡＶアンプ１の選択に依存することになる。ここでは、ＡＶアンプ１は入力５のＤ−ＶＨＳ（登録商標）を選択し、Ｄ−ＶＨＳ（登録商標）は入力７のＡＶアンプ３を選択している。そして、ＡＶアンプ３は１台のＳＴＢ２を接続しているだけなので、このＳＴＢ２が選択機器となる。この機器の選択方法は、例えば、ユーザが各機器の入力切り換えを行っていずれかの入力を有効にするようにしてもよい。
【００４２】
ユーザはこのＳＴＢ２からの映像をテレビＡで視聴しており、もしくは視聴しようとしているときに、ＳＴＢ２を操作対象としたいが、このＳＴＢ２を操作対象として選択するために、上述の＜Ｓｅｔ Ｓｔｒｅａｍ Ｐａｔｈ＞コマンドを使用する。
【００４３】
具体的には、テレビＡの入力をＡＶアンプ１側に切り換えたときに、テレビＡは、ＡＶアンプ１を指定した“Ｓｅｔ Ｓｔｒｅａｍ Ｐａｔｈ＜ＡＶアンプ１＞”のＣＥＣコマンドをＡＶアンプ１へ送信する。ＡＶアンプ１は、このＣＥＣコマンドを受けて、＜Ａｃｋ＞をテレビＡへ送信し、Ｄ−ＶＨＳ（登録商標）が選択状態にあることをテレビＡへ通知する。
【００４４】
上記のように次階層の機器のいずれかを選択状態にするために、該機器よりも上位階層の機器の入力を切り換えておく。例えば、ＡＶアンプ１の入力を切り換えて、次階層のＡＶアンプ２，ＤＶＤプレーヤ，Ｄ−ＶＨＳ（登録商標）のいずれかを選択状態にする。この際、入力を切り換えた次階層の機器に対して、ＨＤＭＩ接続が有効な機器かどうかを判定する必要がある。
【００４５】
このＨＤＭＩ接続が有効かどうかの判定方法として、例えば、入力切換に応じて、上位階層の機器から、該機器に直接接続されている次階層の機器に対して、＜Ｓｅｔ Ｓｔｒｅａｍ Ｐａｔｈ＞コマンドを送信し、次階層の機器から＜Ａｃｋ＞が返ってきたときに、次階層の機器はＨＤＭＩ接続が有効と判定することができる。
【００４６】
次に、テレビＡは、Ｄ−ＶＨＳ（登録商標）を指定した“Ｓｅｔ Ｓｔｒｅａｍ Ｐａｔｈ＜Ｄ−ＶＨＳ＞”のＣＥＣコマンドをＤ−ＶＨＳ（登録商標）へ送信する。Ｄ−ＶＨＳ（登録商標）は、このＣＥＣコマンドを受けて、＜Ａｃｋ＞をテレビＡへ送信し、ＡＶアンプ３が選択状態にあることをテレビＡへ通知する。
【００４７】
次に、テレビＡは、ＡＶアンプ３を指定した“Ｓｅｔ Ｓｔｒｅａｍ Ｐａｔｈ＜ＡＶアンプ３＞”のＣＥＣコマンドをＡＶアンプ３へ送信する。ＡＶアンプ３は、このＣＥＣコマンドを受けて、＜Ａｃｋ＞をテレビＡへ送信し、ＳＴＢ２が選択状態にあることをテレビＡへ通知する。最後に、テレビＡは、ＳＴＢ２を指定した“Ｓｅｔ Ｓｔｒｅａｍ Ｐａｔｈ＜ＳＴＢ２＞”のＣＥＣコマンドをＳＴＢ２へ送信する。ＳＴＢ２は、このＣＥＣコマンドを受けて、＜Ａｃｋ＞をテレビＡへ送信する。ＳＴＢ２は、次階層に接続されている機器がないため、テレビＡへの選択機器の通知がなされない。このため、ＳＴＢ２が操作対象機器として確定される。
【００４８】
図３に示すように、表示装置であるテレビＡを１階層目に配置し、テレビＡに直接接続されているリピータ機器やソース機器などの外部機器を２階層目に配置し、３階層目以降についても同様に当該階層の外部機器に直接接続されている外部機器を次階層に配置してなるネットワークを構成した場合、当該階層の外部機器は、テレビＡからのＣＥＣコマンドを受信すると、選択状態にある次階層の外部機器をテレビＡに通知する。テレビＡは、通知された選択状態にある次階層の外部機器のアドレスを指定してＣＥＣコマンドを送信する。
【００４９】
この際、テレビＡは、当該階層の外部機器から、選択状態にある次階層の外部機器の通知があったかどうかを判定し、通知がない場合、当該階層の外部機器を操作対象機器として選択する。このとき、テレビＡは，操作対象機器として選択された外部機器のアドレス情報をメモリ３４に記憶するようにしてもよい。この場合、次回テレビＡの操作を行う際に、ユーザによる入力切換に応じて、メモリ３４に記憶した外部機器のアドレスを指定してＣＥＣコマンドが送信される。これにより、ユーザはテレビＡの入力を入力１へ切り換えるだけで、スムーズに操作対象を選択することができる。
【００５０】
図４は、本発明の表示システムによる操作対象機器選択方法の一例を説明するためのフロー図である。本例では図３に示した接続構成に基づいて説明する。まず、テレビＡは、ユーザ操作に従って、ＡＶアンプ１へ入力が切り換えられると（ステップＳ１）、ＡＶアンプ１のアドレスを指定して“Ｓｅｔ Ｓｔｒｅａｍ Ｐａｔｈ＜ＡＶアンプ１＞”コマンドを送信する（ステップＳ２）。
【００５１】
テレビＡは、ＡＶアンプ１から＜Ａｃｋ＞が返ってきたかどうかを判定し（ステップＳ３）、＜Ａｃｋ＞が返っていない場合（ＮＯの場合）、接続状態を「接続解除状態」に設定する（ステップＳ４）。また、ステップＳ３において、＜Ａｃｋ＞が返ってきた場合（ＹＥＳの場合）、ＡＶアンプ１から選択機器の通知があったかどうかを判定する（ステップＳ５）。
【００５２】
テレビＡは、ステップＳ５において、ＡＶアンプ１から選択機器の通知がない場合（ＮＯの場合）、ＡＶアンプ１を操作対象機器として選択する（ステップＳ６）。また、テレビＡは、ステップＳ５において、ＡＶアンプ１から選択機器（ここではＤ−ＶＨＳ（登録商標））の通知があった場合（ＹＥＳの場合）、Ｄ−ＶＨＳ（登録商標）のアドレスを指定して“Ｓｅｔ Ｓｔｒｅａｍ Ｐａｔｈ＜Ｄ−ＶＨＳ＞”コマンドを送信する（ステップＳ７）。
【００５３】
なお、ＡＶアンプの場合、ＡＶアンプ単体で接続されるケースはほとんどなく、入力側がレコーダやＳＴＢなどのソース機器あるいは他のリピータ機器とも接続される。このため、ＡＶアンプを操作対象機器とせずに、ソース機器が接続されていない旨を通知するためのメッセージあるいは他の入力に切り換えるように促すためのメッセージをテレビＡから表示等するようにしてもよい。
【００５４】
以下同様に、テレビＡは、Ｄ−ＶＨＳ（登録商標）から＜Ａｃｋ＞が返ってきたかどうかを判定し（ステップＳ８）、＜Ａｃｋ＞が返っていない場合（ＮＯの場合）、ステップＳ４に移行して、接続状態を「接続解除状態」に設定する。また、ステップＳ８において、＜Ａｃｋ＞が返ってきた場合（ＹＥＳの場合）、Ｄ−ＶＨＳ（登録商標）から選択機器の通知があったかどうかを判定する（ステップＳ９）。
【００５５】
テレビＡは、ステップＳ９において、Ｄ−ＶＨＳ（登録商標）から選択機器の通知がない場合（ＮＯの場合）、ステップＳ６に移行して、Ｄ−ＶＨＳ（登録商標）を操作対象機器として選択する。また、テレビＡは、ステップＳ９において、Ｄ−ＶＨＳ（登録商標）から選択機器（ここではＡＶアンプ３）の通知があった場合（ＹＥＳの場合）、ＡＶアンプ３のアドレスを指定して“Ｓｅｔ Ｓｔｒｅａｍ Ｐａｔｈ＜ＡＶアンプ３＞”コマンドを送信する（ステップＳ１０）。
【００５６】
次に、テレビＡは、ＡＶアンプ３から＜Ａｃｋ＞が返ってきたかどうかを判定し（ステップＳ１１）、＜Ａｃｋ＞が返っていない場合（ＮＯの場合）、ステップＳ４に移行して、接続状態を「接続解除状態」に設定する。また、ステップＳ１１において、＜Ａｃｋ＞が返ってきた場合（ＹＥＳの場合）、ＡＶアンプ３から選択機器の通知があったかどうかを判定する（ステップＳ１２）。
【００５７】
テレビＡは、ステップＳ１２において、ＡＶアンプ３から選択機器の通知がない場合（ＮＯの場合）、ステップＳ６に移行して、ＡＶアンプ３を操作対象機器として選択する。また、テレビＡは、ステップＳ１２において、ＡＶアンプ３から選択機器（ここではＳＴＢ２）の通知があった場合（ＹＥＳの場合）、ＳＴＢ２のアドレスを指定して“Ｓｅｔ Ｓｔｒｅａｍ Ｐａｔｈ＜ＳＴＢ２＞”コマンドを送信する（ステップＳ１３）。
【００５８】
次に、テレビＡは、ＳＴＢ２から＜Ａｃｋ＞が返ってきたかどうかを判定し（ステップＳ１４）、＜Ａｃｋ＞が返っていない場合（ＮＯの場合）、ステップＳ４に移行して、接続状態を「接続解除状態」に設定する。また、ステップＳ１４において、＜Ａｃｋ＞が返ってきた場合（ＹＥＳの場合）、ＳＴＢ２から選択機器の通知があったかどうかを判定する（ステップＳ１５）。
【００５９】
テレビＡは、ステップＳ１５において、ＳＴＢ２から選択機器の通知がない場合（ＮＯの場合）、ステップＳ６に移行して、ＳＴＢ２を操作対象機器として選択する。また、テレビＡは、ステップＳ１５において、ＳＴＢ２から選択機器の通知があった場合（ＹＥＳの場合）、当該選択機器のアドレスを指定して“Ｓｅｔ Ｓｔｒｅａｍ Ｐａｔｈ＜選択機器名＞”コマンドを送信し、以降、操作対象機器が確定するまで処理を繰り返す。なお、図３に示した例では、ＳＴＢ２以降の選択機器は存在しないため、ＳＴＢ２が操作対象機器として選択される。
【００６０】
図５は、本発明の表示システムによる操作対象機器選択方法の他の例を説明するためのフロー図である。本例では図３に示した接続構成に基づいて説明する。まず、テレビＡは、ユーザ操作に従って、ＡＶアンプ１へ入力が切り換えられると（ステップＳ２１）、前回送信した操作対象機器の＜Ｓｅｔ Ｓｔｒｅａｍ Ｐａｔｈ＞のアドレス（ここではＳＴＢ２）がメモリに記憶されているかどうかを判定する（ステップＳ２２）。当該アドレスが記憶されていない場合（ＮＯの場合）、操作対象機器を選択し直す（ステップＳ２３）。また、ステップＳ２２において、当該アドレスが記憶されている場合（ＹＥＳの場合）、ＳＴＢ２のアドレスを指定して“Ｓｅｔ Ｓｔｒｅａｍ Ｐａｔｈ＜ＳＴＢ２＞”コマンドを送信する（ステップＳ２４）。
【００６１】
テレビＡは、ＳＴＢ２から＜Ａｃｋ＞が返ってきたかどうかを判定し（ステップＳ２５）、＜Ａｃｋ＞が返ってきた場合（ＹＥＳの場合）、操作対象機器として選択する（ステップＳ２６）また、ステップＳ２５において、＜Ａｃｋ＞が返っていない場合（ＮＯの場合）、接続状態を「接続解除状態」に設定する（ステップＳ２７）。このように、テレビ視聴時に、前回送信した＜Ｓｅｔ Ｓｔｒｅａｍ Ｐａｔｈ＞のアドレスを記憶しておき、そのアドレスの機器を操作対象とすることで、操作をスムーズに行うことができる。
【００６２】
以上説明したように、本発明によれば、ＨＤＭＩにより接続された複数の外部機器に対して、入力切換時に、ＨＤＭＩ規格に基づくＣＥＣコマンドを送信することにより、複数の外部機器の中から操作対象機器を選択できるため、ユーザは単に入力を切り換えるだけで、操作対象機器を容易に選択することができる。また、ユーザは機器の切り換えを特に意識する必要がないため、接続された機器の操作をスムーズに行うことができる。
【図面の簡単な説明】
【００６３】
【図１】本発明の表示装置の一実施形態例を説明するためのブロック図である。
【図２】本発明が適用可能なＡＶシステムの構成例を説明するためのブロック図である。
【図３】本発明の表示システムによる操作対象機器の選択方法の一例を説明するための図である。
【図４】本発明の表示システムによる操作対象機器選択方法の一例を説明するためのフロー図である。
【図５】本発明の表示システムによる操作対象機器選択方法の他の例を説明するためのフロー図である。
【符号の説明】
【００６４】
１０…出力装置、１１…ＨＤＭＩトランスミッタ、１２…ＨＯＳＴ ＣＰＵ、１３…フロントマイコン、１４…ＣＥＣ Ｉ／Ｆ、２０…リピータ機器、２１…ＨＤＭＩレシーバ、２２…ＨＤＭＩトランスミッタ、２３…ＨＯＳＴ ＣＰＵ、２４…フロントマイコン、２５…ＣＥＣ Ｉ／Ｆ、３０…表示装置、３１…ＨＯＳＴ ＣＰＵ、３２…モニターマイコン、３３…ＣＥＣ Ｉ／Ｆ、３４…メモリ、３５…受光部、３６…リモコン装置、４１…ＴＭＤＳライン、４２…ＣＥＣライン、１００…テレビ装置、１０１…ＴＶチューナ、１０２…デマルチプレクサ、１０３…ビデオデコーダ、１０４…システム制御部、１０５…バス調停部、１０６，１０７…外部入力、１０８，１０９…ＨＤＭＩ入力Ｉ／Ｆ、１１０…画像処理部、１１１…デバイス駆動部、１１２…フレームメモリ、１１３…表示デバイス、１１４…赤外線受光部。
【図１】
2008104175.tif 000003
【図２】
2008104175.tif 000004
【図３】
2008104175.tif 000005
【図４】
2008104175.tif 000006
【図５】
2008104175.tif 000007